(57)【要約】【課題】製造工程を削減し、コストの低減を図りつつ、使用においても十分な耐摩耗性を有する電線連結用ロープが望まれていた。【解決手段】本発明に係る電線連結用ロープは、複数の並行する架空電線間に設けられる電線連結用ロープにおいて、ロープが芯材繊維に絶縁性樹脂を押出成形することによって被覆したものであることを特徴とする。【選択図】図１
2012034434.tif 000002
【特許請求の範囲】
【請求項１】
複数の並行する架空電線間に設けられる電線連結用ロープにおいて、
前記ロープは、
芯材繊維に絶縁性樹脂を押出成形することによって被覆したものであることを特徴とする電線連結用ロープ。
【請求項２】
前記絶縁性樹脂は、
直鎖状低密度ポリエチレン樹脂であることを特徴とする請求項１に記載の電線連結用ロープ。
【請求項３】
前記芯材繊維は、
主に編組されたポリエステル繊維またはアラミド繊維で構成されていることを特徴とする請求項１または請求項２に記載の電線連結用ロープ。
【請求項４】
前記ポリエステル繊維または前記アラミド繊維は、
延伸処理が施されていることを特徴とする請求項１から請求項３のいずれか一項に記載の電線連結用ロープ。
【請求項５】
前記ロープは、
巻付けグリップに取付可能な把持用リングを有することを特徴とする請求項１から請求項４のいずれか一項に記載の電線連結用ロープ。
【請求項６】
前記把持用リングは、
前記芯材繊維をリング状にして高密度ポリエチレン樹脂を射出成型することによって被覆したもの
または、
前記芯材繊維を高密度ポリエチレン樹脂製のリング状成型部材の中に収納したものであることを特徴とする請求項１から請求項５のいずれか一項に記載の電線連結用ロープ。
【請求項７】
前記把持用リングは、
前記芯材繊維をリング状にしてスリーブで圧着した後、高密度ポリエチレン樹脂を射出成型することによって被覆したもの、
または、
前記芯材繊維をリング状にしてスリーブで圧着した後、高密度ポリエチレン樹脂製のリング状成型部材の中に収納したものであることを特徴とする請求項１から請求項６のいずれか一項に記載の電線連結用ロープ。
【発明の詳細な説明】
【技術分野】
【０００１】
本発明は、複数の並行する架空電線間に設けられる電線連結用ロープに係り、更に詳しくは耐摩耗性および施工性にすぐれ、製造に際しても工程を削減でき、かつ低コストで作製できる電線連結用ロープに関するものである。
【背景技術】
【０００２】
一般に屋外に設置されている電柱には、二相または三相（Ｒ、Ｓ、Ｔ相）の架空電線が並行して張設されている。しかし、災害や劣化等によってこれらの架空電線が断線し、張設されている架空電線の途中から電線が地面に垂下または落下することがある。
【０００３】
従前においては、絶縁性を有する磁器製の棒状物を用いて架空電線間を適当な間隔で連結することで電線の垂下または落下防止を図ることが行われてきたが、本方法では磁器製の棒状物が破損した際に地面に落下して危険であるという問題があった。
【０００４】
そこで近年では、例えば特許文献１または特許文献２に示すように絶縁性を有するロープ状物を用いて架空電線間を連結することが提案されている。
すなわち、予め工場などでロープ状物に結び目を作っておき、電柱への施工時にその結び目に巻付けグリップ金具を挿入した後、巻付けグリップ金具を架空電線に巻き付けて架空電線間を連結するものである。
【先行技術文献】
【特許文献】
【０００５】
【特許文献１】特開２００１−１８６６４６号公報
【特許文献２】特開２００４−１５３９１７号公報
【発明の概要】
【発明が解決しようとする課題】
【０００６】
しかしながら、特許文献１に記載の電線連結用ロープは、アラミド繊維からなる芯材繊維に低温架橋シリコーン樹脂（ＬＴＶ）を含浸させることによって作製することから、製造工程が多く、また製造時間も長くなり、結果的にコストも高くなるという課題があった。
【０００７】
また、特許文献１に記載の電線連結用ロープは、上記および図６に示すように予め工場などでロープ状物に結び目１２を作っておき、電柱への施工時にその結び目１２に巻付けグリップ金具６を挿入した後、当該巻付けグリップ金具６を架空電線１１に巻き付けて架空電線間を連結するものである。ここで、この結び目１２を形成する工程は風などを受けても解けないように十分な強度を持たせ、また架空電線の間隔に合わせてロープの長さを調節しながら行う必要もあることから、非常に時間がかかり、煩雑な作業であるという課題もあった。
【０００８】
また、絶縁性を付与するために軟らかいシリコーン樹脂を用いていることから、長期間使用すると、風などによってロープと巻付けグリップ金具とが擦れ合い、摩擦による劣化が生じるという課題もあった。
【０００９】
一方、特許文献２に記載の電線連結用ロープは、予め高温架橋シリコーン（ＨＴＶ）で作製した樹脂製チューブにポリアミド繊維またはポリエステル繊維で出来た芯材繊維を挿入することによって製造していることから、特許文献１のロープに比べて製造工程も少なく、コストも削減できるというメリットがある。
【００１０】
しかしながら、特許文献２に記載の電線連結用ロープにおいても絶縁性を付与するために特許文献１に記載のロープと同様に軟らかいシリコーン樹脂を用いており、また、人為的に結び目を作る作業は必要であることから、煩雑な作業を要する点や長期間の使用における劣化の問題を解決できるものではなかった。
【００１１】
さらに、従来の電線連結用ロープにおいては、図７に示すように芯材繊維２が、３つ打ちという合成繊維を単に撚り合せただけものであることから、長手方向に対する強度はある程度有するものの、ねじれ方向や曲げ方向などに対する強度は低いという課題がある。また、合成繊維を単に撚り合せただけものであることから、一旦、合成繊維の有する引張強度以上の張力がロープにかかるとロープ自体が切れる可能性が高くなるという課題もあった。
【００１２】
本発明は、上記した従来の問題点に鑑みてなされたものであって、製造工程を削減し、コストの低減を図りつつ、使用においても十分な耐摩耗性を有する電線連結用ロープを提供することを目的とするものである。また、ロープの劣化をより有効に防止し、結び目を作る作業を削減できるとともに、巻付けグリップ金具への取付け時においても省施工が図れる電線連結用ロープを提供することを目的とするものである。
【課題を解決するための手段】
【００１３】
上記目的を達成するために、本発明の請求項１に係る電線連結用ロープは、複数の並行する架空電線間に設けられる電線連結用ロープにおいて、ロープが芯材繊維に絶縁性樹脂を押出成形することによって被覆したものであることを特徴とする。
【００１４】
本発明の請求項２に係る電線連結用ロープは、絶縁性樹脂が直鎖状低密度ポリエチレン樹脂であることを特徴とする。
【００１５】
本発明の請求項３に係る電線連結用ロープは、芯材繊維が主に編組されたポリエステル繊維またはアラミド繊維で構成されていることを特徴とする。
【００１６】
本発明の請求項４に係る電線連結用ロープは、ポリエステル繊維またはアラミド繊維に延伸処理が施されていることを特徴とする。
【００１７】
本発明の請求項５に係る電線連結用ロープは、ロープに巻付けグリップに取付可能な把持用リングを有することを特徴とする。
【００１８】
本発明の請求項６に係る電線連結用ロープは、把持用リングが芯材繊維をリング状にして高密度ポリエチレン樹脂を射出成型することによって被覆したものまたは、芯材繊維を高密度ポリエチレン樹脂製のリング状成型部材の中に収納したものであることを特徴とする。
【００１９】
本発明の請求項７に係る電線連結用ロープは、把持用リングは、芯材繊維をリング状にしてスリーブで圧着した後、高密度ポリエチレン樹脂を射出成型することによって被覆したもの、または、芯材繊維をリング状にしてスリーブで圧着した後、高密度ポリエチレン樹脂製のリング状成型部材の中に収納したものであることを特徴とする。
【発明の効果】
【００２０】
本発明の請求項１に係る電線連結用ロープによれば、一つの工程で絶縁性樹脂を芯材繊維に被覆することができるので、製造工程を削減でき、歩留率も向上することができる。また、コスト低減を図ることができる。
【００２１】
本発明の請求項２に係る電線連結用ロープによれば、長期間の使用においても、風などに対応できる柔軟性を保持しつつ、耐摩耗性能を向上させることができ、さらに耐トラッキング性も付与することができる。
【００２２】
本発明の請求項３および請求項４に係る電線連結用ロープによれば、電線連結用ロープに十分な引張強度を持たせることができる。
【００２３】
本発明の請求項５から請求項７に係る電線連結用ロープによれば、使用時に巻付けグリップ金具と摩擦することによるロープの劣化をより有効に防止できる。また、従前のように予め結び目を作る工程を削減でき、加えて電柱への施工時に省施工を図ることもできる。さらに、スリーブを用いて芯材繊維をリング状にすることから、従来の電線連結用ロープを施工したときと同等の強度を確保しつつ、把持用リングをよりコンパクトにすることができる。
【図面の簡単な説明】
【００２４】
【図１】本発明に係る電線連結用ロープの第１の実施形態を示す模式図である。
【図２】本発明に係る電線連結用ロープの芯材繊維を示す模式図である。
【図３】図１のＡ−Ａ断面図である。
【図４】本発明に係る電線連結用ロープの第２の実施形態を示す模式図である。
【図５】本発明に係る電線連結用ロープの使用状態を示す模式図である。
【図６】従来の電線連結用ロープの使用状態を示す模式図である。
【図７】従来の電線連結用ロープの芯材繊維を示す模式図である。
【発明を実施するための形態】
【００２５】
本発明の実施形態を図面に基づいて説明する。なお、以下に述べる実施形態は本発明を具体化した一例に過ぎず、本発明の技術的範囲を限定するものでない。
図１は本発明に係る電線連結用ロープの第１の実施の形態を示す模式図、図２は本発明に係る電線連結用ロープの芯材繊維を示す模式図、図３は図１のＡ−Ａ断面図である。
【００２６】
（第１の実施形態）
最初に、図１および図２に示した電線連結用ロープ１の構成について説明する。本発明にかかる電線連結用ロープ１は、芯材繊維２に絶縁性樹脂３を押出成形によって被覆することによって構成されている。
【００２７】
ここで、絶縁性樹脂３については、絶縁性を有する樹脂であれば特に限定されず、ポリエチレンやポリプロピレンなどのポリオレフィン樹脂、ポリスチレンやポリ塩化ビニルなどのポリビニル系樹脂、ＡＢＳ樹脂やスチレン／アクリル酸共重合体などの各種の共重合体樹脂、ポリテトラフルオロエチレンやポリフッ化ビニルなどのフッ素樹脂、ポリエチレンテレフタレートなどのポリエステル樹脂、ポリカーボネート樹脂、尿素樹脂、エポキシ樹脂などが挙げられる。
そして、この中でも長期間の使用においても、風などに対応できる柔軟性を保持しつつ、耐摩耗性能を向上させることができ、さらに耐トラッキング性も付与することができるという点から、直鎖状低密度ポリエチレン樹脂を用いることが好ましい。すなわち、ポリエチレン樹脂を用いることによって絶縁性を付与しつつ、その中でも直鎖状のものを用いることによって耐摩耗性を付与し、さらに低密度のものを用いることによって柔軟性を付与するのである。
【００２８】
次に、芯材繊維２は、図２に示すように中心にポリエステル繊維またはアラミド繊維の縦糸４が若干量あるものの、主に編組されたポリエステル繊維またはアラミド繊維５によって構成されている。
【００２９】
ここで、編組の形態については特に限定されず、金剛打ち、８つ打ち、１６打ちなどが挙げられる。
そして、この中でも長手方向以外にもねじれ方向や曲げ方向など、電線連結用ロープ１が受けるあらゆる方向の負荷に対してより高い強度を付与することができ、また押出成形によって外層に絶縁性樹脂を被覆しても真円に近いロープを作製できるという点から金剛打ちにすることが好ましい。
【００３０】
さらに、使用するポリエステル繊維またはアラミド繊維５は、より長手方向の引張に対する強度を付与することができるという点から延伸処理を施したものであることが好ましい。
【００３１】
最後に、図１に示すように電線連結用ロープ１には、使用時に巻付けグリップ金具６に施工しやすくするために、把持用リング７が設けられている。また、本実施形態の把持用リング７は、図３の断面図に示すように絶縁性樹脂３で被覆された芯材繊維２をリング状にしてスリーブ８で固定した後、耐摩耗性に優れる高密度ポリエチレン樹脂９を射出成型することによって構成されている。
【００３２】
ここで、把持用リング７は、施工の際に巻付けグリップ金具６をリングの開口に向かって導きやすくするように、リングの内側を曲面状に形成しておくことが好ましい。
【００３３】
さらに、射出成型によって把持用リング７を作製する際には、軟らかい芯材繊維２が金型の中で暴れずに成型後の把持用リング７の中心に位置して成型できるように、金型（図示せず）に芯材繊維２をガイドするピン（図示せず）を設けておくことが好ましい。よって、本実施形態の把持用リング７には射出成型の際のピン孔１０が形成されている。
【００３４】
なお、把持用リング７については、本実施形態のように射出成型によって作製する以外にも、予め把持用リング７のような形状の高密度ポリエチレン樹脂製のリング状成型部材（図示せず）を作製しておき、その収納部材の中にリング状にスリーブ８で固定した芯材繊維２を収納するようにしてもよい。
【００３５】
（第２の実施形態）
上記の実施形態では、把持用リング７を電線連結用ロープ１の端部と中央部に形成したが、本発明の電線連結用ロープ１はそれに限定されるものでなく、例えば図４に示すように、把持用リング７を電線連結用ロープ１の端部にのみ形成して、二相または三相のうちの２線間を連結する形態とすることもできる。
【００３６】
次に、上記した実施形態における動作および作用を説明する。
【００３７】
図５は本発明に係る電線連結用ロープの使用状態を示す模式図である。
まず、電線連結用ロープ１の把持用リング７に巻付けグリップ金具６を挿入する。そして、図５に示すように、把持用リング７が挿入されている巻付けグリップ金具６を架空電線１１に巻き付けることによって、架空電線１１の連結を行う。
従って、製造工程を削減でき、従前のように予め結び目を作る工程を削減でき、コストの低減も図りつつ、耐摩耗性に優れ、劣化を防止した電線連結用ロープ１を容易に施工することができる。
【産業上の利用可能性】
【００３８】
本発明の電線連結用ロープは、複数の並行する架空電線の垂下または落下防止に用いることができる。
【符号の説明】
【００３９】
１    電線連結用ロープ
２    芯材繊維
３    絶縁性樹脂
４    ポリエステル繊維またはアラミド繊維の縦糸
５    編組されたポリエステル繊維またはアラミド繊維
６    巻付けグリップ金具
７    把持用リング
８    スリーブ
９    高密度ポリエチレン樹脂
１０  ピン孔
１１  架空電線
１２  結び目
Ａ    電柱
Ｂ    腕金
【図１】
2012034434.tif 000003
【図２】
2012034434.tif 000004
【図３】
2012034434.tif 000005
【図４】
2012034434.tif 000006
【図５】
2012034434.tif 000007
【図６】
2012034434.tif 000008
【図７】
2012034434.tif 000009